(57)【要約】【課題】扉の背面又は筐体の内部に取り付けられる機器の配置スペースの制限を緩和可能な収納盤を提供すること。【解決手段】開口部を有する筐体と、前記開口部を覆うように設けられる扉と、前記筐体に対して前記扉を開閉自在に支持し、前記扉の左右いずれかに設けられるヒンジと、前記扉の前記ヒンジが設けられる側と対向する側であって、前記扉の正面と前記扉の手先側の側面との少なくとも一方に設けられ、下方の基面に接触することで前記扉の自重を支持する支持部とを備える、収納盤。例えば、前記支持部は、前記基面に接触する下端部と、前記下端部の高さを調整する調整機構とを有する。例えば、前記調整機構は、前記筐体が設置される設置面よりも下方の前記基面に前記下端部を接触させる。【選択図】図１
2020114058.tif 000002
【特許請求の範囲】
【請求項１】
開口部を有する筐体と、
前記開口部を覆うように設けられる扉と、
前記筐体に対して前記扉を開閉自在に支持し、前記扉の左右いずれかに設けられるヒンジと、
前記扉の前記ヒンジが設けられる側と対向する側であって、前記扉の正面と前記扉の手先側の側面との少なくとも一方に設けられ、下方の基面に接触することで前記扉の自重を支持する支持部とを備える、収納盤。
【請求項２】
前記支持部は、前記基面に接触する下端部と、前記下端部の高さを調整する調整機構とを有する、請求項１に記載の収納盤。
【請求項３】
前記調整機構は、前記筐体が設置される設置面よりも下方の前記基面に前記下端部を接触させる、請求項２に記載の収納盤。
【請求項４】
前記支持部は、前記下端部から上方に延びる長手部材を有し、
前記調整機構は、前記扉の下面よりも上側の位置で、前記長手部材を前記扉に対して固定する、請求項２又は３に記載の収納盤。
【請求項５】
前記長手部材は、上下方向に延びる長穴を有し、
前記調整機構は、前記長穴に挿入される留め具で、前記長手部材を前記扉に対して固定する、請求項４に記載の収納盤。
【請求項６】
前記長手部材は、上下方向に延びる雄ねじ部を有し、
前記調整機構は、前記雄ねじ部と締結する雌ねじ部で、前記長手部材を前記扉に対して固定する、請求項４に記載の収納盤。
【請求項７】
前記支持部は、前記基面に接触し、前記扉の開閉に伴って前記基面を転がる車輪を有する、請求項１から６のいずれか一項に記載の収納盤。
【発明の詳細な説明】
【技術分野】
【０００１】
本発明は、収納盤に関する。
【背景技術】
【０００２】
従来、筐体と扉を備える制御盤において、扉を開放する際に扉の自重により扉が垂れ下がることを防ぐため、扉の下方から床面まで伸びて扉の自重により床面を押圧することで扉の自重を支持する自重支持部を備えるものが知られている（例えば、特許文献１参照）。
【先行技術文献】
【特許文献】
【０００３】
【特許文献１】特開２０１０−３０７３６号公報
【発明の概要】
【発明が解決しようとする課題】
【０００４】
しかしながら、従来の自重支持部は、扉の背面に設けられているため、扉の背面又は筐体の内部に取り付けられる機器は、自重支持部を避けて配置することが求められ、当該機器の設置スペースが制限される場合がある。
【０００５】
そこで、本開示は、扉の背面又は筐体の内部に取り付けられる機器の配置スペースの制限を緩和可能な収納盤を提供する。
【課題を解決するための手段】
【０００６】
本開示は、
開口部を有する筐体と、
前記開口部を覆うように設けられる扉と、
前記筐体に対して前記扉を開閉自在に支持し、前記扉の左右いずれかに設けられるヒンジと、
前記扉の前記ヒンジが設けられる側と対向する側であって、前記扉の正面と前記扉の手先側の側面との少なくとも一方に設けられ、下方の基面に接触することで前記扉の自重を支持する支持部とを備える、収納盤を提供する。
【発明の効果】
【０００７】
本開示によれば、下方の基面に接触することで扉の自重を支持する支持部が扉の正面と扉の手先側の側面との少なくとも一方に設けられるので、扉の背面又は筐体の内部に取り付けられる機器の配置スペースの制限を緩和できる。
【図面の簡単な説明】
【０００８】
【図１】第１の実施形態における収納盤を例示する斜視図である。
【図２】第１の実施形態における収納盤を例示する側面図である。
【図３】ヒンジを例示する図である。
【図４】第１の実施形態における収納盤を部分的に拡大して例示する斜視図である。
【図５】第１の実施形態における収納盤を部分的に拡大して例示する正面図である。
【図６】第１の実施形態における収納盤を部分的に拡大して例示する分解斜視図である。
【図７】第２の実施形態における収納盤を部分的に拡大して例示する斜視図である。
【図８】第２の実施形態における収納盤を部分的に拡大して例示する正面図である。
【図９】第２の実施形態における収納盤を部分的に拡大して例示する分解斜視図である。
【発明を実施するための形態】
【０００９】
以下、本開示の実施形態を図面を参照して説明する。なお、本説明において、Ｘ軸に平行な方向、Ｙ軸に平行な方向、Ｚ軸に平行な方向を、それぞれ、Ｘ軸方向、Ｙ軸方向、Ｚ軸方向と称する。Ｘ軸方向とＹ軸方向とＺ軸方向は、互いに直交する。ＸＹ平面、ＹＺ平面、ＺＸ平面は、それぞれ、Ｘ軸方向及びＹ軸方向に平行な仮想平面、Ｙ軸方向及びＺ軸方向に平行な仮想平面、Ｚ軸方向及びＸ軸方向に平行な仮想平面を表す。
【００１０】
図１は、第１の実施形態における収納盤を例示する斜視図である。図２は、第１の実施形態における収納盤を例示する側面図である。図１，２に示す収納盤１０は、一又は複数の機器を収納する。収納盤１０は、例えば、所定の制御対象を制御する制御機器を収納する制御盤、各電気機器に電気を分電する分電機器を収納する分電盤、分電盤などに電気を配電する配電機器などを収納する配電盤などであるが、これらに限られない。収納盤１０は、屋外に設置される屋外盤でも、屋内に設置される屋内盤でもよい。収納盤１０は、筐体１１と、扉１２と、ヒンジ１５と、支持部１９とを備える。
【００１１】
筐体１１は、一又は複数の機器を収納する箱形の容器である。筐体１１は、扉１２が閉じた状態で、一部又は全部が塞がれる開口部１６を有する。図１，２は、扉１２が開口部１６の全部を塞いだ状態を例示している。
【００１２】
扉１２は、筐体１１の開口部１６に対して開閉する開き戸であり、開口部１６を覆うように設けられる。扉１２は、開口部１６に対向する背面と、当該背面とは反対側の正面１３と、扉１２の手先側（扉１２の釣元とは反対側）の側面１４と、基面１８又は設置面１７に対向する下面４０とを有する。扉１２の手先側は、図面上、Ｘ軸方向の正側に対応する。
【００１３】
ヒンジ１５は、扉１２の釣元に取り付けられており、筐体１１の開口部１６に対して扉１２を開閉自在に支持する部材である。ヒンジ１５は、扉１２の左右いずれかに設けられる。
【００１４】
ところで、扉１２の幅方向（Ｘ軸方向）の長さが比較的長い場合、扉１２の手先側が垂れ下がることがある。この理由は、図３に示すように、製作交差を吸収するためのクリアランス２３が、ヒンジ１５とカラー２１，２２との間に存在するので、そのクリアランス２３の分、扉１２の自重によって、扉１２が傾くからである。さらに、扉１２に取り付けられる重量物や扉１２の自重によって、扉１２が歪むことがある。扉１２が歪むと、扉１２の手先側が更に垂れ下がったり、扉１２が閉じた状態での扉１２と筐体１１との密着性（例えば、扉１２が閉じた状態での筐体１１内部の気密性）が低下したりするおそれがある。
【００１５】
そこで、図１，２に示すように、収納盤１０は、扉１２の正面１３に設けられ、下方の基面１８に接触することで扉１２の自重を支持する支持部１９を備える。支持部１９は、扉１２のヒンジ１５が設けられる側と対向する側に設けられる。支持部１９は、支持部１９の下方の基面１８に接触することで扉１２の自重を支持する支持機構である。支持部１９を設けることによって、扉１２の歪み、垂れ下がり若しくは反り、又は扉１２と筐体１１との密着性の低下などが、クリアランス２３の存在や扉１２の自重により生じることを抑制できる。
【００１６】
なお、図２は、支持部１９が接触する基面１８が、筐体１１が設置される設置面１７よりも低い場合を示しているが、基面１８は、設置面１７に比べて高くてもよいし、設置面１７と同じ高さ（設置面１７と同一面）でもよい。設置面１７は、筐体１１の底面が対向する面である。また、図２は、支持部１９の下端部４２の高さを調整する調整機構４１（詳細は後述）を支持部１９が備える場合を示しているので、下端部４２が基面１８から離れているが、支持部１９の下端部４２は、扉１２が閉じた状態で基面１８に接触していてもよい。
【００１７】
支持部１９は、図１，２に示すように、扉１２の手先側に設けられることが好ましい。これにより、支持部１９が扉１２の釣元に設けられる形態に比べて、扉１２の自重による扉１２の手先側の垂れ下がり等を抑制できる。
【００１８】
支持部１９は、図１，２に示す形態では、扉１２の正面１３に設けられている。例えば、支持部１９が扉１２の背面に設けられる形態では、扉１２の背面又は筐体１１の内部に取り付けられる機器（以下、"内側機器"とも称する）は、支持部１９を避けて配置することが求められるので、内側機器の設置スペースが制限される場合がある。これに対し、図１，２に示す形態では、支持部１９は扉１２の正面１３に設けられているので、支持部１９を避けて内側機器を配置する必要性はほとんど無くなる。したがって、支持部１９が扉１２の正面１３に設けられる図１，２に示す形態によれば、支持部１９が扉１２の背面に設けられる形態に比べて、内側機器の配置スペースの制限を緩和でき、内側機器と支持部１９との干渉を防止できる。
【００１９】
また、基面１８に支持部１９を接触させて扉１２の自重を支持する支持部１９が設けられる箇所が正面１３であるので、扉１２が開いた状態だけでなく、扉１２が閉じた状態でも、扉１２の自重による扉１２の垂れ下がり等を抑制できる。
【００２０】
また、支持部１９が扉１２の背面に設けられる形態では、扉１２の下面４０に貫通孔や切り欠きを形成したり、扉１２と筐体１１との間に隙間を形成したりしなければ、扉１２が閉じた状態で支持部１９を基面１８に接触させることができない。したがって、支持部１９が扉１２の背面に設けられる形態では、そのような貫通孔や隙間の存在が、扉１２が閉じた状態での筐体１１内部の密閉性（例えば、気密性）を低下させるおそれがある。これに対し、支持部１９が扉１２の正面１３に設けられる図１，２に示す形態では、そのような貫通孔や隙間を形成しなくても、基面１８に支持部１９を接触させることができる。したがって、図１，２に示す形態によれば、扉１２が閉じた状態において、扉１２の自重による扉１２の垂れ下がり等を抑制できるだけでなく、筐体１１内部の密閉性の低下も抑制できるという優れた効果を奏する。
【００２１】
また、図１，２に示す形態では、支持部１９が設けられる箇所が正面１３であるので、内側機器の配置位置にかかわらず、支持部１９を正面１３に後付けできる。内側機器の配置位置に影響されずに支持部１９を正面１３に後付けできることにより、例えば、収納盤１０が実際に設置される環境に合うように、支持部１９の設計が可能となる。
【００２２】
支持部１９の個数は、一つに限られず、複数でもよい。複数の支持部１９を設けることで、扉１２の支持の安定度合いが増し、扉１２の自重による扉１２の垂れ下がり等を更に抑制できる。
【００２３】
支持部１９は、基面１８に接触する下端部４２と、下端部４２の高さを調整する調整機構４１とを有することが好ましい。このような調整機構４１を備えることにより、筐体１１が設置される設置面１７と、支持部１９の下端部４２が接触する基面１８との高さが異なる場合でも、支持部１９を基面１８に調整機構４１によって接触させることが可能となる。
【００２４】
支持部１９は、基面１８に接触し、扉１２の開閉に伴って基面１８を転がる車輪２０（より具体的には、キャスター）を有してもよい。車輪２０は、支持部１９の下端部４２に設けられる。車輪２０を設けることにより、扉１２の開閉動作が滑らかになる。なお、車輪２０に代えて、下端部４２は、基面１８に接触した状態で滑りやすくなる形態に形成されてもよい。例えば、下端部４２を丸めることや、下端部４２に滑りやすい部材を設けることなどが考えられる。
【００２５】
調整機構４１は、筐体１１が設置される設置面１７よりも下方の基面１８に下端部４２を接触させる構成を有してもよい。積雪や降雨などによって雪や水が筐体１１内に浸入することを防ぐため、例えば図２に示すように、設置面１７の位置が基面１８によりも高い場合がある。このような場合でも、調整機構４１が設置面１７よりも下方の基面１８に支持部１９の下端部４２を接触させる構成を有することで、支持部１９を基面１８に調整機構４１によって接触させることが可能となる。
【００２６】
図４は、第１の実施形態における収納盤を部分的に拡大して例示する斜視図である。図５は、第１の実施形態における収納盤を部分的に拡大して例示する正面図である。図６は、第１の実施形態における収納盤を部分的に拡大して例示する分解斜視図である。
【００２７】
支持部１９は、下端部４２から上方に延びる長手部材２６を有する。長手部材２６は、例えば、下面部２４と板状部２５とを有するＬ字状の金具である。下面部２４は、下端部４２に設けられる車輪２０が取り付けられる部分である。板状部２５は、下面部２４から上方に延びる部分である。板状部２５には、上下方向に延びる長穴２７を有する。
【００２８】
調整機構４１は、長穴２７に挿入されるボルト２８，２９が、扉１２の正面１３に溶接等で固定された雌ねじスタッド３０，３１に締結されることで、長手部材２６を扉１２に対して固定する。ボルト２８は、長穴２７を介して、下側の雌ねじスタッド３０に締結される留め具であり、ボルト２９は、長穴２７を介して、上側の雌ねじスタッド３１に締結される留め具である。長穴２７の長手方向に沿ってボルト２８，２９の締結位置をずらすことによって、下端部４２の高さ（上下方向の位置）を調整できる。このような構成にすることによって、下端部４２の高さを調整する調整機構４１を、比較的低いコストで実現できる。
【００２９】
また、調整機構４１は、図４，５等に示されるように、扉１２の下面４０よりも上側の位置で、長手部材２６を扉１２に対して固定することが好ましい。仮に、扉１２の下面４０よりも下側の位置に調整機構４１があると、調整機構４１は、下面４０よりも下側に位置する障害物とぶつかりやすい。これに対し、図４，５等に示す形態では、調整機構４１は、扉１２の下面４０よりも上側の位置で、長手部材２６を扉１２に対して固定するので、下面４０よりも下側に位置する障害物とぶつかり難くなる。
【００３０】
図７は、第２の実施形態における収納盤を部分的に拡大して例示する斜視図である。図８は、第２の実施形態における収納盤を部分的に拡大して例示する正面図である。図９は、第２の実施形態における収納盤を部分的に拡大して例示する分解斜視図である。上述の実施形態と同様の構成及び効果についての説明は、上述の説明を援用することで、省略又は簡略する。
【００３１】
図７等に示す第２の実施形態での収納盤５０は、上述の第１の実施形態での収納盤１０と同様に、筐体１１と、扉１２と、ヒンジ１５と、支持部５９とを備える。
【００３２】
支持部５９は、扉１２の正面１３に設けられ、下方の基面１８に接触することで扉１２の自重を支持する支持機構である。支持部５９は、基面１８に接触する下端部８２と、下端部８２の高さを調整する調整機構８１とを有する。下端部８２には、車輪２０が設けられている。
【００３３】
支持部５９は、下端部８２から上方に延びる長手部材６６を有する。長手部材６６は、例えば、下面部６４と雄ねじスタッド６７とを有する金具である。下面部６４は、下端部８２に設けられる車輪２０が取り付けられる部分である。雄ねじスタッド６７は、下面部６４から上方に延びる部分であり、下面部６４に溶接等により固定される。雄ねじスタッド６７は、雄ねじ部の一例である。
【００３４】
扉１２の正面１３には、上下方向での取り付け位置が異なる２つのＬ字状の受け部７０，７１が取り付けられている。受け部７０，７１は、それぞれ、ＸＹ平面（水平面）に平行な受け面を有し、各々の受け面には、雄ねじスタッド６７が挿通可能な貫通孔７４，７５が形成されている。
【００３５】
調整機構８１は、雄ねじスタッド６７が貫通孔７４，７５に挿通した状態で、受け部７０，７１の各々の受け面が上下のナットで挟み込まれることで、長手部材６６を扉１２に対して固定する。一対のナット６８，７２は、受け部７０の受け面を上下で挟み込んだ状態で雄ねじスタッド６７と締結する雌ねじ部である。一対のナット６９，７３は、受け部７１の受け面を上下で挟み込んだ状態で雄ねじスタッド６７と締結する雌ねじ部である。一対のナット６８，７２と雄ねじスタッド６７との締結位置、及び、一対のナット６９，７３と雄ねじスタッド６７との締結位置をずらすことによって、下端部８２の高さ（上下方向の位置）を調整できる。このような構成にすることによって、支持部５９は、下端部８２の高さを調整機構８１により調整できるとともに、より強固に扉１２を支持できる。
【００３６】
以上、収納盤を実施形態により説明したが、本発明は上記実施形態に限定されるものではない。他の実施形態の一部又は全部との組み合わせや置換などの種々の変形及び改良が、本発明の範囲内で可能である。
【００３７】
例えば、少なくとも一つの支持部１９が扉１２の手先側の側面１４に設けられてもよい。これにより、支持部１９が扉１２の正面１３に設けられる形態と同様に、支持部１９を避けて内側機器を配置する必要性はほとんど無くなる。したがって、支持部１９が扉１２の背面に設けられる形態に比べて、内側機器の配置スペースの制限を緩和できる。この点、支持部５９についても同様である。
【００３８】
また、支持部１９は、扉１２の正面１３と扉１２の手先側の側面１４との両方に設けられてもよい。例えば、複数の支持部１９が、正面１３と側面１４のそれぞれに設けられてもよいし、一つの支持部１９が、正面１３と側面１４に亘って設けられてもよい。このように、内側機器の配置スペースの制限を緩和する点で、支持部１９は、扉１２の正面１３と扉１２の手先側の側面１４との少なくとも一方に設けられることが好ましい。この点、支持部５９についても同様である。
【００３９】
例えば、支持部１９，５９が設けられる扉１２の形態は、片開き式に限られず、観音開き式でもよい。
【符号の説明】
【００４０】
１０，５０  収納盤
１１  筐体
１２  扉
１３  正面
１４  側面
１５  ヒンジ
１６  開口部
１７  設置面
１８  基面
１９，５９  支持部
２０  車輪
２１，２２  カラー
２３  クリアランス
２６，６６  長手部材
２７  長穴
４０  下面
４１，８１  調整機構
４２，８２  下端部
【図１】
2020114058.tif 000003
【図２】
2020114058.tif 000004
【図３】
2020114058.tif 000005
【図４】
2020114058.tif 000006
【図５】
2020114058.tif 000007
【図６】
2020114058.tif 000008
【図７】
2020114058.tif 000009
【図８】
2020114058.tif 000010
【図９】
2020114058.tif 000011